(57)【特許請求の範囲】
【請求項１】
連続した複数の機械を有し、それぞれが１つの潤滑剤を使用する製造プロセスで量産される製品の汚染源を特定する方法であって、
第１の蛍光性タガントと前記第１の蛍光性タガントとは異なる第２の蛍光性タガントとを、前記連続した複数の機械で使用する前記潤滑剤のそれぞれに添加するステップと、
前記製品に第１の放射線スペクトルを照射し、この照射によって前記第１の蛍光性タガントが蛍光を発するステップと、
前記蛍光を発する第１の蛍光性タガントによって放出される放射線を、本方法の作業者によって視覚的に検出し、前記製造プロセスから放射線を放出した製品を取り出すステップと、
前記取り出した製品に第２の紫外線スペクトルを照射し、この照射によって前記第２の蛍光性タガントが蛍光を発するステップと、
電子式放射線検出装置で、前記蛍光を発する第２の蛍光性タガントによって放出される放射線を電子式に検出するステップと
を含む方法。
【請求項２】
前記第１の蛍光性タガントが、本方法の作業者によってその発光を視覚的に検出できる濃度レベルで前記油または潤滑剤に添加される請求項１に記載の方法。
【請求項３】
少なくとも１つの蛍光性タガントが、約５０ｐｐｂ〜約１００ｐｐｍの間の濃度で前記油または潤滑剤に添加される請求項１又は２に記載の方法。
【請求項４】
前記製品が、紙に包まれた巻きタバコロッドである請求項１〜３のいずれか１項に記載の方法。
【請求項５】
前記製品が、食料品である請求項１〜４のいずれか１項に記載の方法。
【請求項６】
前記蛍光性タガントの１つまたは２つが、油溶性である請求項１〜５のいずれか１項に記載の方法。
【請求項７】
前記蛍光性タガントの１つまたは２つが、油分散性である請求項１〜６のいずれか１項に記載の方法。
【発明の詳細な説明】
【技術分野】
【０００１】
本明細書では、タバコ、タバコ製品、食品、医薬品、包装体（packaging）ならびに他の消費者用商品および製品上の油および／またはグリース（潤滑剤）汚染の検出のための検査方法を開示する。
【背景技術】
【０００２】
消費者用製品、およびタバコの楽しみを提供するように設計された製品の加工および包装において、油、グリースおよびその他の潤滑剤が、不注意で製造中に製品と接触する可能性がある。
【０００３】
タバコを楽しむように設計されている製品では、タバコの葉を最終製品として提供する前に加工する。例えば、葉は、収穫、熟成および除骨工程への移送の間に機械類と接触する可能性がある。また、葉が、除骨工程で除骨された形態となり、そして所望の大きさに切断される又は細かく刻まれる場合、油、グリースおよび潤滑剤が不注意によりタバコと接触する可能性がある。同様に、タバコの製造工程において使用される様々な機械を稼働するのに使用される潤滑剤も、不注意によりタバコと接触する可能性がある。潤滑剤の汚染の原因は、様々である可能性があり、例えば、機械類の特定の一台またはその一台の部品が最適な形で首尾よく稼働しない場合などがある。潤滑剤は、滑り機構、ドラムシステム、ギアボックス、ポンプ、シールされた転がり軸受ユニット、チェーンおよびベルトなどからのガスケットまたはシール部を通した潤滑剤の漏れに起因して、不注意によりタバコと接触する可能性がある。潤滑剤は、調整シリンダー、スレッシャー、分離装置、リドライヤー、レシーバー、フィーダー、コンベヤー、カッター、ブレンダー、タバコプレスならびにタバコ除骨工程およびタバコ一次加工操作において一般に使用されるあらゆる複数の装置において使用される。
【０００４】
類似した組成物の潤滑剤が、タバコ加工および巻きタバコ製造の様々な工程を通して使用される。従来、巻きタバコ製造業者が、タバコおよび／または巻きタバコにおいて油の存在を検出することは困難であったし、また検出したとしても、その潤滑剤の供給源となった場所を見つけることは困難であった。例えば、従来の検出法は、タバコを包んだロッド上の染みを目視観察し、この染みのある物を除去し、そして実験室で分析するというものであり、これは、時間のかかる工程である。
【発明の概要】
【０００５】
タバコおよびタバコ製品に限らずその他の機械加工製品において潤滑剤または同種のものの存在について検査が容易であったら、それは非常に有利なことである。
【０００６】
開示される本発明は、その一態様において、量産される製品において油または潤滑剤の汚染を検出する方法であって、少なくとも２つの蛍光性タガント（fluorescent taggants）を前記製品のための加工用機械で使用する油または潤滑剤に添加するステップと、前記蛍光性タガントの少なくとも１つについて蛍光を発するように前記製品に放射線を照射するステップと、油に汚染された製品中の前記蛍光を発するタガントから放出される放射線を検出するステップとを含む。
【０００７】
一形態では、前記蛍光性タガントの少なくとも１つは、紫外線での照射によって蛍光を発するものである。
【０００８】
一形態では、前記蛍光性タガントの少なくとも１つは、可視スペクトルの放射線を放出するものである。
【０００９】
一形態では、前記蛍光性タガントの２つが、紫外線での照射によって蛍光を発するものである。
【００１０】
一形態では、前記蛍光性タガントは、異なる濃度レベルで前記油または潤滑剤に添加されており、そのうちの少なくとも１つのタガントは、その発光を本方法の作業者によって視覚的に検出し得るのに十分な濃度レベルで添加される。
【００１１】
一形態では、少なくとも１つの蛍光性タガントは、約５０ｐｐｂ〜約１００ｐｐｍの間の濃度で前記油または潤滑剤に添加される。
【００１２】
一形態では、本方法は、前記蛍光を発するタガントから放出される放射線を検出する電子式放射線検出装置を前記製品が通過するように前記製品を移送するステップをさらに含む。
【００１３】
一形態では、前記蛍光性タガントは、第１の波長で放射線を吸収し、前記第１の波長とは異なる第２の波長で蛍光を発するストークスシフト性タガントである。
【００１４】
一形態では、前記製品は、紙に包まれた巻きタバコロッドである。
【００１５】
一形態では、戦記製品は、食料品である。
【００１６】
一形態では、前記蛍光性タガントの１つ又は２つは、油溶性である。
【００１７】
一形態では、前記蛍光性タガントの１つまたは２つは、油分散性である。
【００１８】
開示される本発明は、別の態様において、タバコ製品における油または潤滑剤の汚染を検出する方法であって、少なくとも２つの蛍光性タガントを前記製品のための加工用機械に使用される油または潤滑剤に添加するステップと、前記蛍光性タガントの少なくとも１つが蛍光を発するように前記製品に放射線を照射するステップと、油に汚染された製品中の前記蛍光を発するタガントから放出される放射線を検出するステップとを含む。
【００１９】
一形態では、前記蛍光性タガントの少なくとも１つは、紫外線での照射によって蛍光を発するものである。
【００２０】
一形態では、前記蛍光性タガントの少なくとも１つは、可視スペクトルの放射線を放出するものである。
【００２１】
一形態では、前記蛍光性タガントの２つが、紫外線での照射によって蛍光を発するものである。
【００２２】
一形態では、前記蛍光性タガントは、異なる濃度レベルで前記油または潤滑剤に添加され、少なくとも１つの蛍光性タガントは、その発光を本方法の作業者によって視覚的に検出し得るのに十分な濃度レベルで添加される。
【００２３】
一形態では、少なくとも１つの蛍光性タガントは、約５０ｐｐｂ〜約１００ｐｐｍの間の濃度で前記油または潤滑剤に添加される。
【００２４】
一形態では、本方法は、前記蛍光を発するタガントによって放出される放射線を検出する電子式放射線検出装置を前記製品が通過するように前記製品を移送するステップをさらに含む。
【００２５】
一形態では、前記蛍光性タガントは、第１の波長で放射線を吸収し、前記第１の波長とは異なる第２の波長で蛍光を発するストークスシフト性タガントである。
【００２６】
一形態では、前記製品は、紙に包まれた巻きタバコロッドである。
【００２７】
一形態では、前記製品は、食料品である。
【００２８】
一形態では、前記蛍光性タガントの１つまたは２つは、油溶性である。
【００２９】
一形態では、前記蛍光性タガントの１つまたは２つは、油分散性である。
【００３０】
開示される本発明は、さらに別の態様において、連続した複数の機械を有し、それぞれが１つまたは複数の油または潤滑剤を使用する製造プロセスで量産される製品の油汚染源を特定する方法であって、第１の蛍光性タガントを、前記連続した複数の機械でそれぞれ使用する前記油または潤滑剤に添加するステップと、前記第１の蛍光性タガントとは異なるものであって、前記連続した複数の機械のそれぞれの油または潤滑剤に対して独特（unique）となる第２の蛍光性タガントを、前記連続した複数の機械でそれぞれ使用する前記油または潤滑剤に添加するステップと、前記製品に第１の放射線スペクトルを照射し、前記第１の蛍光性タガントによって放出される放射線を視覚的に検出するステップと、放射線を放出した製品を、前記製造プロセスから取り出すステップとを含む方法。
【００３１】
一形態では、本方法は、前記汚染源を特定するために、前記取り出した製品に第２の放射線スペクトルを照射し、前記第２の蛍光性タガントによって放出される放射線を検出するステップをさらに含む。
【００３２】
一形態では、前記第２の蛍光性タガントによって放出される放射線の検出は、電子式放射線検出装置で実施される。
【００３３】
一形態では、前記第１の蛍光性タガントによって放出される放射線の検出は、本方法の作業者によって視覚的に実施される。
【００３４】
一形態では、第１の蛍光性タガントは、本方法の作業者によってその発光を視覚的に検出し得るのに十分な濃度レベルで前記油または潤滑剤に添加される。
【００３５】
一形態では、前記蛍光性タガントは、第１の波長で放射線を吸収し、前記第１の波長とは異なる第２の波長で蛍光を発するストークスシフト性タガントである。
【００３６】
一形態では、少なくとも前記第１の蛍光性タガントは、紫外スペクトルの放射線を吸収し、可視スペクトルの放射線を放出するものである。
【００３７】
一形態では、前記機械は、出荷用原料を調製するためのものを含む。
【００３８】
一形態では、前記機械は、包装用機械を含む。
【００３９】
一形態では、前記第１の蛍光性タガントによって放出される放射線の検出を、前記連続した複数の機械の少なくとも１つの中か又はその間に搭載された電子式放射線検出装置で実施する。
【００４０】
一形態では、前記第１の蛍光性タガントによって放出される放射線の検出を、本方法の作業者によって視覚的に実施し、前記第２の蛍光性タガントによって放出される放射線の検出を、電子式放射線検出装置で実施する。
【００４１】
一形態では、前記第１の蛍光性タガントによって放出される放射線の検出を、前記連続した前記複数の機械の少なくとも１つの中か又はその間に搭載された電子式放射線検出装置で実施し、前記第２の蛍光性タガントによって放出される放射線の検出を、前記第１の電子式放射線検出装置とは別に設けられた電子式放射線検出装置で実施する。
【００４２】
本明細書で開示される実施の形態について、添付図面の図を用いて説明するが、これは本発明を限定するためのものではなく、一例を示すためのものである。なお、図中において、同様の符号は同様の構成要素を指す。
【図面の簡単な説明】
【００４３】
【図１】図１は、本発明の方法の一配列例を示す概略図である。
【発明を実施するための形態】
【００４４】
以下、例示の目的で選ばれた特定の形態を参照して、様々な態様を説明する。本明細書で開示される装置、システムおよび方法の趣旨および範囲は、この選ばれた形態に限定されないことを理解されよう。
【００４５】
本明細書で使用される、単数の文法形態で記載される以下の用語「ａ」、「ａｎ」および「ｔｈｅ」は、それぞれ本明細書での別段の具体的な定義もしくは記述のない限り又は文脈による別段の明らかな指定のない限り、その記述されている実在物（entity）または物体（object）の複数を指すこともあるし且つそれらを包含することもある。例えば、本明細書で使用されるような「（１つの）デバイス」、「（１つの）アセンブリー」、「（１つの）機構」、「（１つの）部品」および「（１つの）要素」という語句は、それぞれ、複数のデバイス、複数のアセンブリー、複数の機構、複数の部品および複数の要素を指すこともあるし且つそれらを包含することもある。
【００４６】
本明細書で使用されるような「含有する（includes, including）」、「有する（has, having）」、「含む（comprises, comprising」という用語ならびにそれらの言語学的または文法的な異形語、派生語および／もしくは同根語のそれぞれは、「これらに限定されないが、〜を含むこと」を意味する。
【００４７】
例示的な説明、例および添付の特許請求の範囲を通して、パラメーター、特長、物体または寸法の数値は、数値範囲の書式の観点から記述するまたは説明することができる。記述された数値範囲の書式は本明細書で開示される形態の実施を例示するために提供されるものであることを十分に理解すべきであり、本明細書で開示される形態の範囲を頑なに限定するものと理解または解釈されるべきではない。
【００４８】
さらに、数値範囲を記述または説明するために、「約第１の数値と約第２の数値の間の範囲の」という語句は、「約第１の数値から第２の数値の範囲の」という語句と同等であると考えられ、それと同じことを意味する。したがって、この２つの同じように意味する語句は、互換的に使用することができる。
【００４９】
本明細書で開示される様々な形態は、本明細書での別段の具体的な記述のない限り、以下の例示的な説明、添付の図面および例において示される、その方法の形態の操作もしくは実施の、ステップもしくは手順および下位のステップもしくは下位の手順の、順番もしくは配列および数の詳細、または、そのシステム、システムサブユニット、デバイス、アセンブリー、サブアセンブリー、機構、構造物、部品、要素および構成物のタイプ、組成、構造、配置、順番および数、ならびに、システムの形態の周辺装置、ユーティリティ、付属品および材料の詳細へのそれらの適用において限定されないことを理解されたい。本明細書で開示される装置、システムおよび方法は、様々な他の代替的な形態にしたがって、様々な他の代替的な仕方で実践し、または実施することができる。
【００５０】
本開示を通して本明細書で使用されるすべての技術的および科学的単語、用語および／または語句は、本明細書での別段の具体的な定義または記述のない限り、当業者によって一般的に理解されているのと同じかまたは同様の意味を有することも理解されたい。本開示を通して本明細書で使用される語法、用語法および表記法は、説明を目的とするものであり、限定するものとみなされるべきではない。
【００５１】
タガントの使用によって、タバコ製品および／または包装体で見られる油および／またはグリースを検出する方法を本明細書で開示する。この方法では、タガントを、タバコ製品および／または包装体と接触する可能性がある油／グリースに、例えば、製造装置の一部における又は製造プロセスに関与するなどの油／グリースに添加する。次いで、タガントが検出された場合、その製品を、汚染された状態で取り出す。また、第２のタガントを、製造プロセスにおける特定の機械または領域を特異（unique）なものにする「識別用タガント」として油に添加してもよい。一次タガントを使用して油が検出されたら、その油染みを、「識別用タガント」の供給源を判定するためのオフライン装置によってさらに精査し、このような製造上の問題の原因を人間が特定するのを支援することができる。
【００５２】
一形態では、本明細書で開示される検出システムは、例えば栽培、収集、加工、および／または食料品、飲み物、フィルターチップ付き又はチップなしのシガー、シガリロ、スヌースおよび他の無煙タバコ製品、喫煙用品、電子シガレット、蒸留製品、医薬品、冷凍食品ならびに他の食べ物などの包装された消費者用商品の包装におけるなどの、多くのプロセスにおいて、かつ製造プロセスの間に、潤滑剤汚染の影響を受けやすい消費者用製品のために使用することができる。他の用途には、衣類、家具、木材、または油が存在しないことが望ましい他の任意の製造もしくは包装された製品が含まれ得る。
【００５３】
一実施形態では、本方法は、少なくとも２つの蛍光性タガントを、タバコ製品などの前記製品のための加工用機械の中に含まれる油または潤滑剤に添加するステップと、前記タガントの少なくとも１つが蛍光を発するように前記製品に放射線を照射するステップと、油に汚染された製品中の前記蛍光を発するタガントから放出される放射線を検出するステップとを含む。観察者によって容易に検出されるように、紫外線での照射によって、前記蛍光性タガントの少なくとも１つが蛍光を発し、可視スペクトルの放射線を放出することが有利である。
【００５４】
より好ましい実施形態では、前記２つの蛍光性タガントの両方が、紫外線での照射によって蛍光を発し、そのうちの少なくとも第１の蛍光性タガントは可視スペクトルの放射線を放出する。その蛍光性タガントは、第１の波長で放射線を吸収し、前記第１の波長とは異なる第２の波長で蛍光を発するストークスシフト性タガントであることが好ましい。
【００５５】
本発明の方法によれば、前記蛍光を発するガントによって放出される放射線を検出する電子式放射線検出装置に、製品を通過させるように、製品を移送することができる。製品は、紙に包まれた巻きタバコロッドなどのタバコ製品や、食料品であってよい。
【００５６】
適切な蛍光性タガントは、油溶性であるものおよび油分散性であるものを含む。好ましいタガント化合物は、約３９０ｎｍ〜約７００ｎｍの特定の波長で蛍光を発する。より好ましいタガント化合物は、約４２５ｎｍ〜約６２５ｎｍの特定の波長で蛍光を発する。例えば、ＵＶ光での照射の後、タガント化合物は、４６５ｎｍ、５１０ｎｍまたは５３０ｎｍの波長で蛍光を発することができる。別の実施形態では、タガント化合物は、ＵＶ感受性化合物（紫外線に応答して可視光を発する）である。多くの場合、機械加工製品は消費者が取り扱う又は摂取する可能性があるものなので、有機タガント、特に毒性をほとんど示さないかまたはまったく示さないものを使用することが有利である。
【００５７】
有機タガント化合物の例には、ピラゾリン、オキシネート、ベンゾオキサジノン、ベンズイミダゾール、ベンゾチアゾール、チオキサンテン、アントラニル酸、テレフタル酸、アルダジン、クマリン、バルビツール酸、ルミフォール（ｌｕｍｉｐｈｏｒｅ）、オキサゾール、チアゾール、クメン、スチルベンおよびその誘導体、例えばフィトクロム、リボフラビン、アリール−アセチレン、２，５−ジアリール−オキサゾール、１，２，３−オキサジアゾール、アリール置換２−ピラゾリジン、キサントン、チオキサントンおよびアクリドン、ベンズアゾール、ベンゾトリアゾール、ベンゾキノリン、フルオレセイン誘導体、フェノチアジンの誘導体、フェノキサジン、キニーネ誘導体（縮合芳香環を有するキニーネ誘導体を含む）、クマリン、インディゴ誘導体、無水ナフタル酸の誘導体およびナフタルイミド、ペリレンなどが含まれる。
【００５８】
蛍光性タガントは、様々な濃度レベルで前記油または潤滑剤に添加することができるが、少なくとも１つのタガントは、その発光を本方法の作業者によって視覚的に検出し得るのに十分な濃度レベルで添加される。したがって、少なくとも１つの蛍光性タガントは、約５０ｐｐｂ〜約１００ｐｐｍまたは約１０ｐｐｍ〜約１００ｐｐｍの間の濃度で前記油または潤滑剤に添加される。
【００５９】
しかし、様々な機械中にすでに存在する油または潤滑剤をより容易に処理するために、特定の任意の油において少なくとも第１のタガントのマスターバッチを処方することがより好都合である可能性があり、その場合、このタガントは、ベース油／潤滑剤中により高濃度で混合され、例えば、タガントが約０．１〜約５ｗｔ％、好ましくはタガントが約０．２〜約２ｗｔ％で、ベース油／潤滑剤が残部となる。そして、このようなタガント入りマスターバッチの一部を、処理すべき機械中のすでに存在する油／潤滑剤に、容易に輸送して添加することができる。例えば、少量のタガント入りマスターバッチを機械の油だめに加える。第２の識別用タガントは、処理すべき特定の機械の油に直接添加するか、又は前記タガント入りマスターバッチの複数の使用分量（different portions）に添加し、次いでこれを適切な機械に添加してもよい。
【００６０】
タガントが油溶性タガントでない場合、任意選択の界面活性剤または分散用添加剤を、基油中でのタガント粒子の分散を容易にするのに効果的な量で添加することができる。そうした界面活性剤／分散剤は当業界で周知であり、それらの詳細（identities）は本明細書で繰り返す必要はない。
【００６１】
本発明によれば、検出可能なタガント化合物は、製造および加工用機械において使用される様々な潤滑剤に添加され、有利には、異なる特徴を有するタガント化合物を異なる加工位置で潤滑剤に添加する。それによって、これらのタガント化合物の１つまたは複数の検出は、製造された製品における潤滑剤の汚染源の位置の迅速な特定を可能にすることができる。
【００６２】
したがって、別の実施形態では、本発明は、連続した複数の機械を有し、それぞれが１つまたは複数の油または潤滑剤を使用する製造プロセスで量産される製品の油汚染源を特定する方法に関し、この方法は、第１の蛍光性タガントを、前記連続した複数の機械でそれぞれ使用する前記油または潤滑剤に添加するステップと、前記第１の蛍光性タガントとは異なるものであって、前記連続した複数の機械のそれぞれの油または潤滑剤に対して独特（unique）となる第２の蛍光性タガントを、前記連続した複数の機械でそれぞれ使用する前記油または潤滑剤に添加するステップと、前記製品に第１の放射線スペクトルを照射し、前記第１の蛍光性タガントによって放出される放射線を視覚的に検出するステップと、放射線を放出した製品を、前記製造プロセスから取り出すステップとを含む。
【００６３】
本方法は、前記汚染源を特定するために、取り出された製品に第２の放射線スペクトルで照射し、前記第２の蛍光性タガントによって放出される放射線を検出するステップをさらに含む。
【００６４】
一実施形態では、前記第１の蛍光性タガントによって放出される放射線の検出を、本方法の作業者によって視覚的に実施し、任意選択で、第２の蛍光性タガントの検出を、電子式放射線検出装置で実施する。したがって、第１の蛍光性タガントは、本方法の作業者によってその発光を視覚的に検出し得るのに十分な濃度レベルで、前記油または潤滑剤に添加される。上記開示と同様に、蛍光性タガントは、第１の波長で放射線を吸収し、前記第１の波長とは異なる第２の波長で蛍光を発するストークスシフト性タガントであり、特に、少なくとも第１の蛍光性タガントは、紫外スペクトルスペクトルの放射線を吸収し、可視スペクトルの放射線を放出する。
【００６５】
逆に、別の実施形態では、前記第１の蛍光性タガントによって放出される放射線の検出を、前記連続した複数の機械の少なくとも１つの上かまたはその中に搭載された電子式放射線検出装置で実施する。
【００６６】
さらに、前記第１の蛍光性タガントによって放出される放射線の検出を、本方法の作業者によって視覚的に実施することができ、前記第２の蛍光性タガントによって放出される放射線の検出を、電子式放射線検出装置で実施することができる。
【００６７】
同様に、別の代替案では、本方法は、前記第１の蛍光性タガントによって放出される放射線の検出を、前記連続した複数の機械の少なくとも１つの中か又はその間に搭載された電子式放射線検出装置で実施し、前記第２の蛍光性タガントによって放出される放射線の検出を、前記第１の電子式放射線検出装置とは別個に配置された電子式放射線検出装置で実施することができるように実施することができる。
【００６８】
添付の図において、３つの加工機械１０、２０および３０は、各機械の油または潤滑剤に添加された第１の蛍光化合物Ａを有する。この第１の蛍光化合物Ａは、紫外線などで照射を受けることができ、これは可視スペクトルで蛍光を発し、その結果、その存在を、目視検査ステーション４０において視覚的に特定することができる。第１の蛍光化合物の汚染が観察されたら、その汚染された製品は、取り出され、識別ステーション５０へ送られる。機械１０、２０および３０のそれぞれは、各機械の油または潤滑剤に添加された、異なる第２の蛍光化合物Ｂ、ＣおよびＤも有する。各第２の蛍光化合物は、識別ステーション５０において紫外線などで照射を受けることができ、それぞれは、異なる波長で発光をもたらすことになり、これは、検査者が、どの機械１０、２０または３０からその汚染が発生しているかを特定できるようにする。本明細書での教示のもとで、安価な紫外灯取付具または手持ち式の紫外光ユニットを供給源として使用でき、かつ、一般的なタガント「Ａ」は可視光スペクトルで応答する（高価な検出器の必要性を回避する）ので、本明細書での教示は、操作または安全性に影響をほとんどまたはまったく及ぼすことなく、オンラインベースで油の存在をチェックするための安価でありながら効果的な方法を提供する。
【００６９】
本発明で開示するシステムおよび方法で処理するのに適した機械には、包装用機械などの出荷用原料を調製するためのものが含まれる。
【００７０】
上記に例示的に説明され、例示されている本明細書で開示される実施形態は、いくつかの有益で有利な態様、特徴および特長を有する。本明細書で開示される実施形態は、タバコ製品または包装体上の油および潤滑剤の検出に関連した現在公知の教示の、欠点および限界に首尾よく対処してそれを克服し、その教示の範囲を拡大する。
【００７１】
本明細書で使用する場合、第１の実在物と第２の実在物の間に置かれる「および／または」という用語は、（１）第１の実在物、（２）第２の実在物ならびに（３）第１の実在物および第２の実在物の１つを意味する。「および／または」で挙げられた複数の実在物は、同じやり方で、すなわちそのように結合した実在物の「１つまたは複数」と解釈されるべきである。具体的に特定されているそのような実在物と関連していても関連していなくても、「および／または」節で具体的に特定されている実在物以外で、任意選択で、他の実在物が存在することができる。したがって、非限定的な例として、「含むこと」などの非限定型の言語と併せて使用されている場合、「Ａおよび／またはＢ」への参照は、一実施形態では、Ａだけ（任意選択でＢ以外の実在物を含む）を指すことができ、別の実施形態では、Ｂだけ（任意選択でＡ以外の実在物を含む）を指すことができ、さらに別の実施形態では、ＡとＢの両方（任意選択で他の実在物を含む）を指すことができる。これらの実在物は、要素、作用、構造物、ステップ、操作、値などを指すことができる。
【００７２】
本明細書で使用する場合、１つまたは複数の実在物のリストに関する「少なくとも１つ」という語句は、実在物のリスト中の実在物の任意の１つまたは複数から選択されるが、実在物のリスト中で具体的に挙げられているあらゆる実在物の少なくとも１つを必ずしも含まず、かつ、実在物のリスト中の実在物の任意の組合せを排除しない、少なくとも１つの実在物を意味することを理解すべきである。この定義は、実在物が、任意選択で、具体的に特定されているそのような実在物と関連していても関連していなくても、「少なくとも１つ」という語句が指す実在物のリスト内で、具体的に特定されている実在物以外で存在できるようにもする。したがって、非限定的な例として、「ＡおよびＢの少なくとも１つ」（または同等に「ＡまたはＢの少なくとも１つ」、または同等に「Ａおよび／またはＢの少なくとも１つ」）は、一実施形態では、任意選択で２つ以上を含む少なくとも１つの、Ｂが存在しないＡ（任意選択でＢ以外の実在物を含む）を指し、別の実施形態では、任意選択で２つ以上を含む少なくとも１つの、Ａが存在しないＢ（任意選択でＡ以外の実在物を含む）を指し、さらに別の実施形態では、任意選択で２つ以上を含む少なくとも１つのＡ、および任意選択で２つ以上を含む少なくとも１つのＢ（任意選択で他の実在物を含む）を指すことができる。言い換えれば、「少なくとも１つ」、「１つまたは複数」および「および／または」という語句は、働きにおいて接続語と離接語の両方である非限定型の表現である。例えば、「Ａ、ＢおよびＣの少なくとも１つ」、「Ａ、ＢまたはＣの少なくとも１つ」、「Ａ、ＢおよびＣの１つまたは複数」、「Ａ、ＢまたはＣの１つまたは複数」および「Ａ、Ｂおよび／またはＣ」という表現のそれぞれは、Ａ単独、Ｂ単独、Ｃ単独、ＡとＢが一緒、ＡとＣが一緒、ＢとＣが一緒、Ａ、ＢおよびＣが一緒、ならびに、任意選択で、少なくとも１つの他の実在物と組み合わせた上記のいずれかを意味することができる。
【００７３】
任意の特許、特許出願または他の文献が、参照により本明細書に組み込まれており、ある意味で用語を定義しているか、または、本開示の非参照部分かもしくは他の参照文献のいずれかと一致しない場合、その本開示の非参照部分を優先するものとし、そこでの用語または組み込まれている開示は、その用語が定義されておりかつ／またはその組み込まれている開示がもともと存在していた参照に関してのみ優先するものとする。
【００７４】
本明細書で使用する場合「適合された」および「構成された」という用語は、その要素、成分または他の主題が、所与の機能を実行するように設計および／または意図されることを意味する。したがって、「適合された」および「構成された」という用語の使用は、所与の要素、成分または他の主題が、所与の機能を単に実施する「ことができる」が、その要素、成分および／または他の主題が、その機能を実施する目的のために、具体的に、選択され、生み出され、実行され、使用され、プログラム化され、かつ／または設計されることを意味すると解釈されるべきではない。それが特定の機能を実施するように適合されていると言及されている要素、成分、および／または他の言及主題が、その機能を実行するように構成されていると追加的にまたは代替的に説明され得ることも、またその逆もまた同様に、本開示の範囲内である。
【００７５】
本開示による装置および方法の例示的で非排他的な例が、提示されている。以下の列挙されている段落中を含む、本明細書で言及されている方法の個々のステップを、言及されている働きを実行する「ためのステップ」と追加的にまたは代替的にみなし得ることは、本開示の範囲内である。
【００７６】
本明細書で開示される装置および方法は、消費者用製品産業に適用することができる。
【００７７】
上記に示した開示は、独立した有用性で複数の区別できる発明を包含すると考えられる。これらの発明のそれぞれはその好ましい形態で開示されているが、本明細書で開示され例示されているようなその特定の実施形態は、多くの変更形態が可能であるので、限定的な意味で考えられるべきではない。本発明の主題は、本明細書で開示される様々な要素、特長、機能および／または特性のすべての新規で非自明性の組合せおよび下位組合せを含む。同様に、クレームが、「１つの（ａ）」もしくは「第１の」要素またはその均等物に言及している場合、そうしたクレームは、２つ以上のそうした要素を要することなくまたそれらを排除することもなく、１つまたは複数のそうした要素の取り込みを含むものと理解すべきである。
【００７８】
特定の形態を参照することによって、本発明を説明し例示してきたが、当業者は、本発明が、本明細書で必ずしも例示されていない変更形態に役立つことを理解されよう。このため、参照は、本発明の真の範囲を決定するための特許請求の範囲に対してだけもっぱらなされるべきである。
【図１】
0006795499.tif 000002